(57)【要約】【課題】タッチパネルを備えた洗濯機において、湿気の浸入を防止することが可能な洗濯機を提供する。【解決手段】タッチパネルガイド４０、基板７０およびフレキシブル基板３１を含む領域の外側を囲む基板ケース８０の側壁８０ｂの上面に配置されるケースパッキン９０を備え、ケースパッキン９０の上面が、カバー２０の裏面側に設けられたリブ２０ｄによって基板ケース８０に押し付けられることで、基板ケース８０を密閉する。【選択図】図７
2015043826.tif 000002
【特許請求の範囲】
【請求項１】
洗濯物を収容する洗濯槽と、
前記洗濯槽を内包する外槽と、
動作条件および運転状態の表示を行う表示操作部と、を有し、
前記表示操作部は、
基板を載置する基板ケースと、
前記基板の上方に配置されるタッチパネルと、
前記タッチパネルを支持するパネルガイドと、
前記タッチパネルの表側を覆うカバーと、
前記タッチパネルの電極と前記基板とを接続する配線と、を備えた洗濯機において、
前記基板ケースの側壁の上面には、前記パネルガイド、前記基板および前記配線を含む領域の外側を囲むパッキンが配置され、
前記パッキンの上面は、前記カバーの裏面側に設けられたリブによって前記基板ケースに押し付けられていることを特徴とする洗濯機。
【請求項２】
前記基板から前記基板ケースの外部に引き出される外部引出電線を有し、
前記外部引出電線は、前記パッキンを通して前記外部に引き出されていることを特徴とする請求項１に記載の洗濯機。
【請求項３】
前記カバーの前記タッチパネルに対応して形成される窓部と、
前記タッチパネルの縁部に沿って設けられる枠状のシール部材と、を備え、
前記シール部材は、前記窓部の縁部によって前記パネルガイドに押し付けられていることを特徴とする請求項１または請求項２に記載の洗濯機。
【発明の詳細な説明】
【技術分野】
【０００１】
本発明は、タッチパネル式の表示操作部を備えた洗濯機に関する。
【背景技術】
【０００２】
従来の洗濯機の操作パネルは、時間などを表示する７セグメント式の表示部と各種ボタン式の操作部とを組合せたものである。しかし、近年では、洗濯機の運転中の様々な状態を表示するために、キャラクタ液晶の表示部が使用されることが多くなってきている。キャラクタ液晶の表示部は、７セグメント式の表示部と比較して表面が格段に大きく且つ平坦であるため、外部からの湿気が入り込むと、結露により視認性が悪化するという問題がある。そこで、従来のキャラクタ液晶の表示部では、湿気の浸入を防止するために、キャラクタ液晶などを接続する制御基板上にポッティング材を充填するとともに、表面の操作パネルとの間にパッキンをかませて密閉することで対応していた（例えば、特許文献１参照）。
【先行技術文献】
【特許文献】
【０００３】
【特許文献１】特開２０１３−８５７３０号公報
【発明の概要】
【発明が解決しようとする課題】
【０００４】
ところで、近年、複雑化した機能を簡易に操作するために、操作部にタッチパネルが導入され、表示部にはさらに多くの情報を表示するために、フルドット液晶が導入されるようになってきている。フルドット液晶は、これまでのキャラクタ液晶などに比べて電極が多いため、これまでのようなピン方式の電極ではなく、シート状の電極を使用している。しかし、これまでのピン方式の電極では、ポッティング材で充填することで対応が可能であったが、シート状の電極（フレキシブル基板）では、ポッティング材を充填する際の熱によってシート部の耐久性が損なわれ、湿気の浸入を防止することができないという問題があった。
【０００５】
本発明は、前記従来の問題を解決するものであり、タッチパネルを備えた洗濯機において、湿気の浸入を防止することが可能な洗濯機を提供することを目的とする。
【課題を解決するための手段】
【０００６】
本発明は、洗濯物を収容する洗濯槽と、前記洗濯槽を内包する外槽と、動作条件および運転状態の表示を行う表示操作部と、を有し、前記表示操作部は、基板を載置する基板ケースと、前記基板の上方に配置されるタッチパネルと、前記タッチパネルを支持するパネルガイドと、前記タッチパネルの表側を覆うカバーと、前記タッチパネルの電極と前記基板とを接続する配線と、を備えた洗濯機において、前記基板ケースの側壁の上面には、前記パネルガイド、前記基板および前記配線を含む領域の外側を囲むパッキンが配置され、前記パッキンの上面は、前記カバーの裏面側に設けられたリブによって前記基板ケースに押し付けられていることを特徴とする。
【発明の効果】
【０００７】
本発明によれば、タッチパネルを備えた洗濯機において、湿気の浸入を防止することが可能な洗濯機を提供できる。
【図面の簡単な説明】
【０００８】
【図１】本発明の実施形態に係る洗濯機を示す外観斜視図である。
【図２】表示操作部を示す平面図である。
【図３】表示操作部を示す分解斜視図である。
【図４】表示操作部のカバーの裏側を示す斜視図である。
【図５】ハーネスパッキンを示す斜視図である。
【図６】ハーネスパッキンの取り付け状態を示す斜視図である。
【図７】図２のＡ−Ａ線矢視断面図である。
【図８】図２のＢ−Ｂ線矢視断面図である。
【発明を実施するための形態】
【０００９】
以下、本発明を実施するための形態（以下「実施形態」という）について、適宜図面を参照しながら詳細に説明する。なお、以下では、洗濯、すすぎ、脱水、乾燥を行うことができる洗濯機（いわゆる、ドラム式の洗濯乾燥機）を例に挙げて説明するが、縦型の洗濯乾燥機、洗濯、すすぎ、脱水を行うことができる洗濯機（いわゆる、全自動洗濯機）など各種様々な洗濯機に適用することができる。
【００１０】
図１は、本発明の実施形態に係る洗濯機を示す外観斜視図である。
図１に示すように、本実施形態のドラム式洗濯乾燥機（以下、洗濯機と表記する）Ａは、洗濯から乾燥までの工程を行うことができるものであり、筐体１、外槽２、回転ドラム３（洗濯槽）、操作パネル４などを備えている。
【００１１】
筐体１は、外郭が鋼板と樹脂成型品とを組み合わせて構成されたものである。すなわち、筐体１は、ベースＢｓ、左右の側板１ａ，１ｂ、前面カバー１ｃ、背面カバー１ｄ、上面カバー１ｅ、下部前面カバー１ｆなどで構成されている。側板１ａ，１ｂおよび背面カバー１ｄは、例えば、鋼板をプレス成形によって構成したものである。ベースＢｓ、前面カバー１ｃ、上面カバー１ｅおよび下部前面カバー１ｆは、例えば、合成樹脂を成型して構成したものである。
【００１２】
外槽２は、洗いおよびすすぎの際に、水が注がれて貯留されるドラム形の水槽であり、前面側に開口（不図示）を有する有底円筒体からなる。また、外槽２の背面には、後記する回転ドラム３を駆動させるモータ（不図示）が設けられている。
【００１３】
回転ドラム３は、洗濯兼脱水槽として機能し、外槽２内に同軸上に内包される有底円筒体からなる。また、回転ドラム３は、手前側に衣類を出し入れするための開口部（不図示）、および周壁に通水および通風のための多数の貫通孔（不図示）を有している。
【００１４】
また、回転ドラム３の内周壁には、奥行き方向（軸方向、略前後方向）に延びるリフタ（不図示）が周方向に間隔を置いて複数個設けられている。洗濯時や乾燥時に回転ドラム３が回転することで、衣類などがリフタと遠心力で周壁に沿って持ち上がり、その後重力で落下するような動きを繰り返すことで洗浄力が高められるようになっている。
【００１５】
また、洗濯機Ａには、粉末洗剤５ａ、液体洗剤５ｂ、柔軟剤５ｃをそれぞれ別々に投入できる洗剤ケース５、水道栓から給水を行う給水ホース接続口６ａ、風呂の残り湯を導入する風呂水ホース接続口６ｂ、外槽２を弾性的に支持して運転時の振動を抑制するダンパ７（一部のみ図示）、衣類を出し入れする扉８、乾燥工程時に発生する塵埃を除去する乾燥フィルタ９などが設けられている。
【００１６】
なお、図示していないが、洗濯機Ａは、外槽２内の空気を除湿する除湿手段（例えば、水冷式の除湿機構）、除湿した空気を加熱する加熱手段（ヒータ）、外槽２（回転ドラム３）内と加熱手段および除湿手段との間において空気を循環させる循環手段（電動ファン）を備えている。
【００１７】
図２は、操作パネルを示す平面図である。
図２に示すように、操作パネル４は、表示操作部１０、スタート・一時停止ボタン１１、電源入ボタン１２、電源切ボタン１３によって構成されている。つまり、運転のスタート操作、運転の一時停止操作、電源入り操作、電源切り操作を除く操作については、表示操作部１０側の操作によって行われるものである。
【００１８】
表示操作部１０は、いわゆるタッチパネル式のものであり、動作条件の表示および運転状況の表示を行うものである。なお、動作条件の表示とは、洗濯のみを行う洗濯コース、洗濯から乾燥までを通して行う洗濯／乾燥コース、乾燥のみを行う乾燥コース、洗濯時の洗い時間、すすぎ回数、脱水時間、脱水時または乾燥時の乾き具合、予約時間、運転終了までの残り時間などの表示を意味している。運転状況の表示とは、現在の運転状況を表示するものであり、例えば、洗濯コースであれば、洗い工程中であるのか、すすぎ工程中であるのか、脱水工程中であるのか、また運転終了までの残り時間の表示を意味している。
【００１９】
また、表示操作部１０で、画面の表示が適宜切り替わりながらタッチ入力操作（コース設定など）が行われるとともに、運転開始後において現在の運転状況が表示されるようになっている。また、図２に示す領域Ｒ２は、例えば、現在設定されている運転コース（洗濯コース、洗濯乾燥コース、乾燥コース）など適宜表示が切り替わる領域である。図２に示す領域Ｒ３は、糸くずフィルタや乾燥フィルタのお掃除時期などをユーザに知らせる点灯状態と消灯状態とが適宜切り替わる領域である。
【００２０】
図３は、表示操作部を示す分解斜視図である。なお、図３では、各部材の積層方向が上下方向である。
図３に示すように、表示操作部１０は、カバー２０、タッチパネル３０、タッチパネルガイド４０（パネルガイド）、表示パネル５０、表示パネルガイド６０、基板７０、基板ケース８０、ケースパッキン９０、パネルパッキン１００（シール部材）およびハーネスパッキン１１０が組み合わされて構成されている。
【００２１】
図４は、操作パネルに用いられるカバーの裏側を示す斜視図である。
図４に示すように、カバー２０は、タッチパネル３０が露出する矩形状に切り欠かれた窓部２０ａを有している。また、カバー２０には、筐体１（図１参照）にねじ固定する際にねじ（不図示）が挿通されるねじ挿通孔２０ｂが複数個所に形成されるとともに、筐体１（図１参照）に係合する爪部２０ｃが複数個所に形成されている。なお、爪部２０ｃの位置、形状、個数などは本実施形態に限定されるものではない。
【００２２】
また、カバー２０の裏面には、窓部２０ａの周囲を囲むようにリブ２０ｄが略四角枠状に形成されている。なお、リブ２０ｄは、後記するタッチパネルガイド４０（図３参照）、基板７０およびフレキシブル基板３１を含む領域の外側を囲むことができるように構成されている。また、リブ２０ｄは、後記する基板ケース８０の溝８０ｃと対応するように構成されている。また、リブ２０ｄには、周方向の一部（本実施形態では２ケ所）において、凹状に切り欠かれた切欠凹部２０ｅが形成されている。
【００２３】
図３に戻って、タッチパネル３０は、例えば、静電容量式のもので構成され、左右方向に延びる複数本の透明電極（不図示）と前後方向に延びる複数本の透明電極（不図示）とが絶縁膜（不図示）を挟んで交差して配置されることで構成されている。この静電容量式のタッチパネル３０では、指が接触していない場合の容量と、指が接触した場合の容量との差分を検出することで、操作された（押された）位置（領域）を検出できるようになっている。
【００２４】
また、タッチパネル３０は、強化ガラス３２（図７、図８参照）と電極基板３３（図７、図８参照）とが積層された構成であり、上側（表側）に強化ガラス３２が配置されて構成されている。
【００２５】
また、タッチパネル３０は、外周縁部が、窓部２０ａの開口縁部と上下方向において重なるように、カバー２０の窓部２０ａの開口面積よりも大きく形成されている。
【００２６】
また、タッチパネル３０は、操作された位置情報信号を取り出すためのフレキシブル基板３１（配線、ＦＰＣ：Flexible printed circuits）を備えている。このフレキシブル基板３１は、ポリイミドなどの絶縁フィルムに銅などの導体箔を設けることによって構成され、後記する基板７０と接続されている。
【００２７】
タッチパネルガイド４０は、タッチパネル３０を支持する合成樹脂製のもので形成され、タッチパネル３０の外周縁部が支持される支持部４１を有している。また、タッチパネルガイド４０は、支持部４１の内側に、後記する表示パネルガイド６０が挿入される略矩形状の開口部４２を有している。
【００２８】
また、タッチパネルガイド４０は、支持部４１の外周縁部から上方に向けて起立する起立部４１ａを有している。この起立部４１ａは、フレキシブル基板３１を引き出す部分を除いて全周に渡って形成されている。
【００２９】
また、タッチパネルガイド４０の下面には、タッチパネルガイド４０を基板７０上の所定位置に位置決めするための位置決め突起４３が複数個所に形成されている。
【００３０】
また、タッチパネルガイド４０は、タッチパネル３０の各領域Ｒ３（図２参照）に対応する位置に導光路４４が形成されている。なお、本実施形態のタッチパネルガイド４０には、スタート・一時停止ボタン１１（図２参照）の一部を構成するボタン支持部４５が一体に形成されている。このボタン支持部４５には、操作ボタン４６が上下方向に動作可能に支持されている。
【００３１】
表示パネル５０は、例えば、モノクロタイプ且つバックライトを備えた液晶パネルで構成され、動作条件および動作状況を表示するものである。なお、表示パネル５０は、液晶に限定されるものではなく、有機ＥＬなど他の薄型の表示パネルであってもよい。また、表示パネル５０は、モノクロタイプに限定されるものではなく、カラータイプであってもよい。
【００３２】
また、表示パネル５０は、タッチパネル３０の下方に位置するように配置され、タッチパネル３０の領域Ｒ１，Ｒ２に対応する表示領域Ｓ１を有している。表示領域Ｓ１の周囲は、非表示領域Ｓ２となっている。
【００３３】
なお、図示省略しているが、表示パネル５０は、表示信号などを入力するためのフレキシブル基板（ＦＰＣ）を備えている。
【００３４】
表示パネルガイド６０は、表示パネル５０を支持するも合成樹脂製のもので形成され、表示パネル５０の下面（裏面）を支持する支持部６１（図７、図８参照）を有している。また、表示パネルガイド６０は、表示パネル５０の周囲を囲む側板６２を有し、表示パネル５０が後記する基板７０から所定の高さで支持されるようになっている。
【００３５】
基板７０は、タッチパネル３０から延びるフレキシブル基板３１と電気的に接続されるとともに、表示パネル５０から延びるフレキシブルな電極基板（不図示）と電気的に接続されている。フレキシブル基板３１の先端には、コネクタ（不図示）が設けられ、このコネクタ（不図示）が基板７０上に設けられたコネクタ（不図示）と接続されている。
【００３６】
また、基板７０の表面（上面）には、タッチパネルガイド４０の導光路に対応する位置に、ＬＥＤ（Light Emitting Diode）などで構成された発光素子７１が実装されている。また、基板７０には、タッチパネルガイド４０の各位置決め突起４３が挿入される位置決め孔７２が形成されている。
【００３７】
また、基板７０は、ＣＰＵ（Central Processing Unit）、ＲＯＭ（Read Only Memory）、ＲＡＭ（Random Access Memory）等を搭載した制御部、入出力部などを備え、タッチパネル３０のタッチ操作に基づいて、表示パネル５０およびＬＥＤ７１を制御する。すなわち、制御部は、ユーザがタッチパネル３０をタッチ操作することで選択した動作条件を示す信号などにより、表示パネル５０に表示する表示内容を決定して制御信号を作成するとともに、ＬＥＤ７１を発光または消灯させる制御信号を作成する。また、制御部は、現在の運転状況を取得し、表示パネル５０に表示する表示内容を決定して制御信号を作成する。
【００３８】
基板ケース８０は、底壁８０ａと、この底壁８０ａの周縁部から上方に向けて立ち上がる側壁８０ｂとを有し、基板７０の形状に沿うように上面が開口している。なお、図３では、側壁８０ｂの一部の図示を省略しているが、側壁８０ｂが底壁８０ａの周縁部全体に渡って形成されている。
【００３９】
側壁８０ｂの上面（上端）には、後記するケースパッキン９０が装着される凹状の溝８０ｃが周方向全体に渡って形成されている。なお、この溝８０ｃは、タッチパネルガイド４０、基板７０およびフレキシブル基板３１を含む領域の外側を囲むことができる位置に形成されている。すなわち、溝８０ｃによって、タッチパネルガイド４０、基板７０およびフレキシブル基板３１を含む領域の外側が囲まれているということは、溝８０ｃによって、タッチパネル３０、表示パネル５０および表示パネルガイド６０についても囲まれていることになる。
【００４０】
ケースパッキン９０は、ゴムなどの弾性材料によって断面視Ｕ字状に形成されるとともに（図７、図８参照）、基板ケース８０の溝８０ｃに沿って連続して形成されている。また、ケースパッキン９０には、周方向の一部（本実施形態では２箇所）に上部が、凹面が上向きとなるように凹状に切り欠かれた切欠凹部９１，９１が形成されている。なお、この切欠凹部９１は、カバー２０に形成されたリブ２０ｄの切欠凹部２０ｅと対応する位置に形成されている。
【００４１】
パネルパッキン１００は、カバー２０の窓部２０ａとタッチパネル３０との間の隙間を密閉するものであり、ゴムなどの弾性材料によって四角枠状に形成されている。また、パネルパッキン１００は、断面視Ｕ字状に形成され（図７、図８参照）、タッチパネル３０の外周縁部全体に渡って設けられている。
【００４２】
また、パネルパッキン１００の外周面には、周方向に間隔を空けて複数の弾性突部１０１が形成されている。これにより、タッチパネル３０がタッチパネルガイド４０に載置されたときに、各弾性突部１０１が起立部４１ａの内壁面に当接し、タッチパネル３０がタッチパネルガイド４０にガタツキなく支持される。
【００４３】
ハーネスパッキン１１０は、ケースパッキン９０の上に重ねて配置され、基板７０から基板ケース８０の外部にハーネスＨ（図８参照）を引き出すためのものである。なお、本実施形態では、ハーネスパッキン１１０が２ヶ所に設けられているが、１ヶ所であってもよく、３箇所以上であってもよい。また、ハーネスパッキン１１０は、ケースパッキン９０よりも硬質のゴムによって構成されている。
【００４４】
図５は、ハーネスパッキンを示す斜視図である。
図５に示すように、ハーネスパッキン１１０は、ゴムなどの弾性材料で形成され、一部が溝８０ｃ（図３参照）内に配置される基部１１０ａを有している。基部１１０ａは、その幅が溝８０ｃ（図３参照）に嵌合する長さで設定されるとともに、周方向に細長く形成されている。
【００４５】
また、基部１１０ａには、周方向に交差する（直交する）方向に貫通する貫通孔１１０ｂが周方向に間隔を置いて複数形成されている。また、基部１１０ａには、各貫通孔１１０ｂを上下半分に分離させるスリット１１０ｃが形成されている。このスリット１１０ｃは、貫通孔１１０ｂの並び方向（基部１１０ａの周方向）の一端から他端まで連続して形成され、さらに一端側の貫通孔１１０ｂから基部１１０ａの端面まで到達するように形成されている。これにより、ハーネスパッキン１１０が完全に上下二つに分離されることなく、図５において二点鎖線で示すように、基部１１０ａの周方向の他端側を支点として回動させて、各貫通孔１１０ｂを上下に分離させることができる。
【００４６】
また、基部１１０ａの上面には、周方向に沿って凹形状の溝１１０ｄが形成されている。この溝１１０ｄには、カバー２０のリブ２０ｄ（図４参照）に形成された切欠凹部２０ｅ（図４参照）の底部が挿入される。
【００４７】
また、基部１１０ａの内側面には、側面視Ｌ字状に形成された位置決め部１１０ｅが形成されている。この位置決め部１１０ｅは、貫通孔１１０ｂよりも下側に位置している。
【００４８】
図６は、ハーネスパッキンの取り付け状態を示す斜視図である。なお、図６では、図３に示す部分を一部省略するとともに簡略化して図示している。
図６に示すように、ハーネスパッキン１１０の貫通孔１１０ｂを上下に分離させて基部１１０ａを開いた状態において（図５参照）、貫通孔１１０ｂにハーネスＨの各ケーブルＣａを嵌めた後、基部１１０ａを閉じる。そして、ハーネスパッキン１１０の基部１１０ａの下端部を、ケースパッキン９０の切欠凹部９１（図３参照）に対応する位置に上側から挿入して、ケースパッキン９０の上にハーネスパッキン１１０を重ねた状態にする。なお、図６に示すように、ハーネスパッキン１１０の周方向への位置ずれを防止するため、基板ケース８０の側壁８０ｂの内面に、ハーネスパッキン１１０の位置決め部１１０ｅを周方向の両側から挟み込む一対の位置決めリブ８０ｄ，８０ｄを形成してもよい。
【００４９】
また、ハーネスＨの先端には、各ケーブルＣａをまとめるコネクタＣＮ１が接続され、このコネクタＣＮ１が、基板ケース８０の側壁８０ｂの外面に設けられたコネクタ受け部ＣＮ２と接続されている。なお、コネクタ受け部ＣＮ２は、基板ケース８０の外部に設けられたメインの制御基板（不図示）や電源の供給源などと接続されている。
【００５０】
図７は、図２のＡ−Ａ線矢視断面図である。
図７に示すように、表示操作部１０では、基板ケース８０内において基板７０が底壁８０ａに沿って配置され、基板ケース８０の溝８０ｃにケースパッキン９０が配置されている。そして、基板７０上には、表示パネル５０を取り付けた表示パネルガイド６０が配置され、表示パネル５０が基板７０から所定の高さに配置されている。そして、タッチパネル３０を取り付けたタッチパネルガイド４０が表示パネルガイド６０の上方から配置されるが、このとき表示パネルガイド６０がタッチパネルガイド４０の開口部４２内に挿入されて配置される。これにより、タッチパネル３０と表示パネル５０とが上下に重なるようにして配置され、タッチパネル３０の下方に表示パネル５０が配置される。
【００５１】
そして、タッチパネル３０を取り付けたタッチパネルガイド４０の上方からカバー２０が被せられる。このとき、カバー２０の裏面に形成されたリブ２０ｄの先端（下端）が、基板ケース８０の溝８０ｃ内に配置されたケースパッキン９０を上方から押圧する。また、カバー２０の窓部２０ａの縁部２０ｆが上方から押圧されることで、タッチパネル３０の縁部が、タッチパネルパッキン１００を介して窓部２０ａの縁部２０ｆとタッチパネルガイド４０の支持部４１とで挟持される。これにより、基板ケース８０の内側が密閉される。
【００５２】
図８は、図２のＢ−Ｂ線矢視断面図である。
図８のＣ部拡大図に示すように、ハーネスパッキン１１０が設けられている位置においては、カバー２０のリブ２０ｄに形成された切欠凹部２０ｅの先端（下端）が、ハーネスパッキン１１０の溝１１０ｄに挿入される。また、ハーネスパッキン１１０の基部１１０ａの下端部が基板ケース８０の溝８０ｃに挿入され、ハーネスパッキン１１０とケースパッキン９０とが上下に重ねて配置される。カバー２０が上方から押圧されることで、リブ２０ｄによってハーネスパッキン１１０が押圧され、ハーネスパッキン１１０によってケースパッキン９０が押圧される。これにより、ハーネスＨ（図６参照）のケーブルＣａと貫通孔１１０ｂとの隙間が密閉されるとともに、基板ケース８０が、ハーネスＨの位置においても密閉される。なお、このとき、ハーネスパッキン１１０の位置決め部１１０ｅによって形成された凹部１１０ｆ（図８のＣ部拡大図参照）が、基板ケース８０ｃの溝８０ｃに形成された縁部８０ｅと嵌合することにより、基板ケース８０に対するハーネスパッキン１１０の位置ずれを防止できる。
【００５３】
例えば、ユーザが電源入ボタン１２（図２参照）を押すことで、ハーネスＨ（図６参照）を介して基板ケース８０の外部から電力が供給され、表示パネル５０には、運転コース（洗濯コース、洗濯・乾燥コース、乾燥コース）設定の初期画面が表示される。そして、ユーザが洗濯コースの文字が表示されているタッチパネル３０の領域をタッチ操作することにより、表示パネル５０の表示が、洗濯コースの下階層に設定されたコース（標準、おいそぎ、念入り、柔らか、毛布、ドライなど）の画面に切り替わる。そして、ユーザがスタート／一時停止ボタン１１を押すことで、表示パネル５０の表示が、洗剤量や運転終了までの残り時間などの画面に切り替わる。
【００５４】
このように、ユーザが表示操作部１０を操作することで、表示操作部１０に表示される画面が切り替わりながら動作条件が決定される。ユーザは、ボタン式のスタート／一時停止ボタン１１を押すまで、タッチパネル３０上を操作するだけであるので、同様の操作感で動作条件を設定することができる。つまり、タッチパネル操作と押ボタン操作を何度も切り替えながら操作する必要がなくなる。また、ユーザの手の移動範囲を小さくすることができ、また操作パネル４の設置領域を小さくすることができる。
【００５５】
以上説明したように、本実施形態に係る洗濯機Ａによれば、ケースパッキン９０が、タッチパネルガイド４０、基板７０およびフレキシブル基板３１を含む領域の外側を囲むように基板ケース８０の側壁８０ｂの上面に配置され、ケースパッキン９０の上面が、カバー２０の裏面側に設けられたリブ２０ｄによって基板ケース８０に押し付けられることで、基板ケース８０を密閉することができ、基板ケース８０の側壁８０ｂよりも外側からの湿気の浸入を防止できる。その結果、タッチパネル３０などを用いて、タッチパネル３０および基板７０をフレキシブル基板３１と接続する入力装置であっても、ポッティング材を使用することなく、基板ケース８０内への湿気の浸入を防止することができる。
【００５６】
また、本実施形態では、ハーネスＨが、ハーネスパッキン１１０を通して基板ケース８０の外部に引き出されているので、基板ケース８０にハーネスＨを外部に引き出すための貫通孔を別個に設ける必要がなくなる。
【００５７】
また、本実施形態では、パネルパッキン１００が窓部２０ａの縁部２０ｆによってタッチパネルガイド４０に押し付けられているので、カバー２０に窓部２０ａを切り欠いて形成したとしても、カバー２０とタッチパネル３０との間を密閉することができ、湿気の浸入を防止することができる。しかも、カバー２０に窓部２０ａを切り欠いて形成することで、タッチパネル３０をタッチ操作したときの感度をカバー２０が切り欠かれていない場合よりも向上させることができる。
【００５８】
なお、本発明は前記した実施形態に限定されるものではなく、本発明の趣旨を逸脱しない範囲において種々変更することができる。例えば、本実施形態では、カバー２０に窓部２０ａを貫通して形成した場合を例に挙げて説明したが、タッチパネル３０の操作感度を損なわない範囲において、窓部を貫通しない構成（例えば、透明な窓カバーを設けるなど）であってもよい。
【００５９】
また、本実施形態では、タッチパネルとＬＥＤを組み合わせた表示を行う場合を例に挙げて説明したが、タッチパネルのみの構成であってもよい。
【００６０】
また、ケースパッキン９０とハーネスパッキン１１０とが別体で構成された場合を例に挙げて説明したが、ケースパッキン９０とハーネスパッキン１１０とが一体に構成されたものであってもよい。
【符号の説明】
【００６１】
Ａ      洗濯機
１      筐体
２      外槽
３      回転ドラム（洗濯槽）
１０    表示操作部
２０    カバー
２０ａ  窓部
２０ｄ  リブ
２０ｅ  切欠凹部
３０    タッチパネル
３１    フレキシブル基板（配線）
４０    タッチパネルガイド
５０    表示パネル
６０    表示パネルガイド
７０    基板
８０    基板ケース
８０ｂ  側壁
８０ｃ  溝
９０    ケースパッキン（パッキン）
１００  パネルパッキン（シール部材）
１１０  ハーネスパッキン（パッキン）
Ｈ      ハーネス（外部引出電線）
【図１】
2015043826.tif 000003
【図２】
2015043826.tif 000004
【図３】
2015043826.tif 000005
【図４】
2015043826.tif 000006
【図５】
2015043826.tif 000007
【図６】
2015043826.tif 000008
【図７】
2015043826.tif 000009
【図８】
2015043826.tif 000010